(57)【要約】      （修正有）【課題】タッチパッドを用いて容易に文字を入力できるユーザ入力装置を提供する。【解決手段】ユーザ入力装置は、複数の領域に区切られている少なくとも一つのタッチセンスパッドと、前記タッチセンスパッド上のユーザプッシュ入力のための少なくとも一つのスイッチと、を含み、前記複数の領域の境界が凹入形成されているキー形状パッドを含む。キー形状パッドには、クワーティ（ＱＷＥＲＴＹ）キーパッド、数字キーパッドのうち少なくとも一つが印刷される。【選択図】図１
2012009006.tif 000002
【特許請求の範囲】
【請求項１】
境界により複数の領域に区切られる少なくとも一つのタッチセンスパッドと、
前記タッチセンスパッド上のユーザプッシュ入力のための少なくとも一つのスイッチと、
を含むことを特徴とする、ユーザ入力装置。
【請求項２】
前記タッチセンスパッドは、前記領域の境界が凹入形成されているキー形状パッドを含むことを特徴とする、請求項１に記載のユーザ入力装置。
【請求項３】
前記タッチセンスパッドは、離隔している二つからなることを特徴とする、請求項１に記載のユーザ入力装置。
【請求項４】
前記境界は、前記タッチセンスパッド上に視覚的に表示されていることを特徴とする、請求項１に記載のユーザ入力装置。
【請求項５】
信号転送部と、
前記タッチセンスパネル上でのタッチ移動に対するタッチ移動情報が外部のディスプレイ装置に出力され、ユーザによってプッシュされた前記領域の位置情報が前記ディスプレイ装置に出力されるように、前記信号転送部を制御する信号制御部と、
をさらに含むことを特徴とする、請求項２〜４のいずれか１項に記載のユーザ入力装置。
【請求項６】
前記キー形状パッドには、クワーティ（ＱＷＥＲＴＹ）キーパッド、数字キーパッドのうち少なくとも一つが印刷されており、
信号転送部と、
前記タッチセンスパネル上でのタッチ移動に対するタッチ移動情報が外部のディスプレイ装置に出力され、ユーザよってプッシュされた前記クワーティキーパッドまたは前記数字キーパッドの位置情報が前記ディスプレイ装置に出力されるように、前記信号転送部を制御する信号制御部と、
をさらに含むことを特徴とする、請求項２〜４のいずれか１項に記載のユーザ入力装置。
【請求項７】
前記キー形状パッドには、クワーティ（ＱＷＥＲＴＹ）キーパッド、数字キーパッドのうち少なくとも一つが印刷されており、
信号転送部と、
前記タッチセンスパネル上でタッチ移動が発生すると、タッチ移動情報が外部のディスプレイ装置に出力され、前記プッシュ入力が発生すると、前記プッシュ入力の発生した前記クワーティキーパッドまたは前記数字キーパッドの文字情報が前記ディスプレイ装置に出力されるように、前記信号転送部を制御する信号制御部と、
をさらに含むことを特徴とする、請求項２〜４のいずれか１項に記載のユーザ入力装置。
【請求項８】
前記スイッチは、一つからなることを特徴とする、請求項１に記載のユーザ入力装置。
【請求項９】
前記スイッチは、前記タッチセンスパッドの下方に設けられていることを特徴とする、請求項１に記載のユーザ入力装置。
【請求項１０】
ディスプレイ部と、複数の領域に区切られた少なくとも一つのタッチセンスパッド及び前記タッチセンスパッド上のユーザプッシュ入力のための少なくとも一つのスイッチを有するユーザ入力部と、を含むディスプレイ装置の制御方法であって、
前記プッシュ入力の発生した前記領域の位置を感知する段階と、
感知された前記領域の位置に対応する既設定の文字を前記ディスプレイ部に表示する段階と、
を含むことを特徴とする、ディスプレイ装置の制御方法。
【請求項１１】
前記領域の境界は凹入形成されたり、前記タッチセンスパッド上に視覚的に表示されており、
文字入力モードが設定されると、既設定のキーパッドを前記ディスプレイ部に表示する段階と、
前記タッチセンスパッド上のタッチ移動範囲を前記キーパッドの表示範囲に直接マッチングさせる段階と、
感知された前記領域の位置に対応する前記キーパッドの文字を入力する段階と、
をさらに含むことを特徴とする、請求項１０に記載のディスプレイ装置の制御方法。
【請求項１２】
前記タッチセンスパッドには、クワーティ（ＱＷＥＲＴＹ）キーパッド、数字キーパッドのうち少なくとも一つが印刷されており、
前記文字を表示する段階は、前記プッシュ入力の発生した前記クワーティキーパッドまたは前記数字キーパッドの位置に対応する既設定の文字を表示する段階と、
を含むことを特徴とする、請求項１１に記載のディスプレイ装置の制御方法。
【請求項１３】
前記タッチセンスパッドには、クワーティ（ＱＷＥＲＴＹ）キーパッド、数字キーパッドのうち少なくとも一つが印刷されており、
前記文字を入力する段階は、前記プッシュ入力の発生した前記クワーティキーパッドまたは前記数字キーパッドの位置に対応する文字を入力する段階を含むことを特徴とする、請求項１０に記載のディスプレイ装置の制御方法。
【請求項１４】
文字入力モードが設定されると、既設定のキーパッドを前記ディスプレイ部に表示する段階と、
前記タッチセンスパッド上のタッチ移動範囲を前記キーパッドの表示範囲に直接マッチングさせる段階と、
感知された前記領域の位置に対応する前記キーパッドの文字を入力する段階と、
をさらに含むことを特徴とする、請求項１０に記載のディスプレイ装置の制御方法。
【発明の詳細な説明】
【技術分野】
【０００１】
本発明は、ユーザ入力装置及びこれを含むディスプレイ装置並びにその制御方法に係り、特に、タクトスイッチを含むユーザ入力装置及びこれを含むディスプレイ装置並びにその制御方法に関するものである。
【背景技術】
【０００２】
一般に、テレビを制御するリモコンは、数字及び方向ボタンを含んでおり、ユーザは、数字ボタンを押したり方向ボタンを介してポインタを移動させたりチャンネルを選択したりする制御を行っている。
【０００３】
最近では、タッチパッドまたはタッチスクリーンのようなタッチセンサーベースのデバイスの使用により、ユーザは、指またはポインティングデバイスを用いてより便利で迅速にポインタを移動させたりＧＵＩを制御したりすることが可能になった。このようなタッチベースのデバイスは、より直観的にＧＵＩを制御できるという点でユーザの経験を極大化させることができるという利点がある。
【発明の概要】
【発明が解決しようとする課題】
【０００４】
本発明の一実施例は、タッチパッドを用いて容易に文字を入力できるユーザ入力装置、これを含むディスプレイ装置及びその制御方法を提供する。
【０００５】
また、本発明の他の実施例は、一つのタクトスイッチを用いて文字を入力できるキーパッドを提供するユーザ入力装置、これを含むディスプレイ装置及びその制御方法を提供する。
【０００６】
一方、本発明のさらに他の実施例は、ディスプレイされたＵＩ情報を用いて容易に文字を入力できるユーザ入力装置、これを含むディスプレイ装置及びその制御方法を提供する。
【課題を解決するための手段】
【０００７】
本発明に係るユーザ入力装置は、複数の領域に区切られている少なくとも一つのタッチセンスパッドと、前記タッチセンスパッド上のユーザプッシュ入力のための少なくとも一つのスイッチと、を含む。
【０００８】
前記タッチセンスパッドは、前記領域の境界が凹入形成されているキー形状パッドを含むことができる。
【０００９】
前記キー形状パッドには、クワーティ（ＱＷＥＲＴＹ）キーパッド、数字キーパッドのうち少なくとも一つが印刷されると良い。
【００１０】
前記タッチセンスパッドは、離隔している二つからなることができる。
【００１１】
前記領域の境界は、前記タッチセンスパッド上に視覚的に表示されることもできる。
【００１２】
この場合にも、前記タッチセンスパッドにクワーティキーパッド、数字キーパッドのうち少なくとも一つが表示されることができる。
【００１３】
前記ユーザ入力装置は、信号転送部と、前記タッチセンスパネル上でタッチ移動が発生するとタッチ移動情報が外部のディスプレイ装置に出力され、前記プッシュ入力が発生すると前記プッシュ入力の発生した前記領域の位置情報が前記ディスプレイ装置に出力されるように、前記信号転送部を制御する信号制御部と、をさらに含むことができる。
【００１４】
また、ユーザ入力装置は、信号転送部と、前記タッチセンスパネル上でタッチ移動が発生するとタッチ移動情報が外部のディスプレイ装置に出力され、前記プッシュ入力が発生すると前記プッシュ入力の発生した前記クワーティキーパッドまたは前記数字キーパッドの位置情報が前記ディスプレイ装置に出力されるように、前記信号転送部を制御する信号制御部と、をさらに含むことができる。
【００１５】
また、ユーザ入力装置は、信号転送部と、前記タッチセンスパネル上でタッチ移動が発生すると、タッチ移動情報が外部のディスプレイ装置に出力され、前記プッシュ入力が発生すると、前記プッシュ入力の発生した前記クワーティキーパッドまたは前記数字キーパッドの文字情報が前記ディスプレイ装置に出力されるように、前記信号転送部を制御する信号制御部と、をさらに含むことができる。
【００１６】
前記スイッチは一つとすることが、製造コストの節減という側面で好ましいが、これに限定されず、タッチセンスパッドの大きさなどに応じて複数個とすることもできる。
【００１７】
前記スイッチは、前記タッチセンスパッドの下方に設けられる。
【００１８】
また、本発明の他の実施例によるディスプレイ部と、複数の領域に区切られている少なくとも一つのタッチセンスパッド及び前記タッチセンスパッド上のユーザプッシュ入力のための少なくとも一つのスイッチを有するユーザ入力部と、を含むディスプレイ装置の制御方法は、前記プッシュ入力の発生した前記領域の位置を感知する段階と、感知された前記領域の位置に対応する既設定の文字を前記ディスプレイ部に表示する段階と、を含むことができる。
【００１９】
前記領域の境界は凹入形成されたり、前記タッチセンスパッド上に視覚的に表示されておりすることができ、文字入力モードが設定されると、既設定のキーパッドを前記ディスプレイ部に表示する段階と、前記タッチセンスパッド上のタッチ移動範囲を前記キーパッドの表示範囲に直接マッチングさせる段階と、感知された前記領域の位置に対応する前記キーパッドの文字を入力する段階と、をさらに含むことができる。
【００２０】
前記タッチセンスパッドには、クワーティ（ＱＷＥＲＴＹ）キーパッド、数字キーパッドのうち少なくとも一つが印刷されておりることができ、前記文字を表示する段階は、前記プッシュ入力の発生した前記クワーティキーパッドまたは前記数字キーパッドの位置に対応する既設定の文字を表示する段階と、を含むことができる。
【００２１】
前記タッチセンスパッドには、クワーティ（ＱＷＥＲＴＹ）キーパッド、数字キーパッドのうち少なくとも一つが印刷されておりることができ、前記文字を入力する段階は、前記プッシュ入力の発生した前記クワーティキーパッドまたは前記数字キーパッドの位置に対応する文字を入力する段階を含むことができる。
【００２２】
文字入力モードが設定されると、既設定のキーパッドを前記ディスプレイ部に表示する段階と、前記タッチセンスパッド上のタッチ移動範囲を前記キーパッドの表示範囲に直接マッチングさせる段階と、感知された前記領域の位置に対応する前記キーパッドの文字を入力する段階と、をさらに含むことができる。
【発明の効果】
【００２３】
以上説明したように、本発明の一実施例によれば、タッチパッドを用いて容易に文字を入力できるユーザ入力装置、これを含むディスプレイ装置及びその制御方法を提供することができる。
【００２４】
また、本発明の他の実施例によれば、一つのタクトスイッチを用いて文字を入力できるキーパッドを提供するユーザ入力装置、これを含むディスプレイ装置及びその制御方法を提供することができる。
【００２５】
一方、本発明のさらに他の実施例によれば、ディスプレイされたＵＩ情報を用いて容易に文字を入力できるユーザ入力装置、これを含むディスプレイ装置及びその制御方法を提供することができる。
【図面の簡単な説明】
【００２６】
【図１】本発明の一実施例によるユーザ入力装置を示す図である。
【図２】図１のＩ−Ｉに沿った断面図である。
【図３】本発明の一実施例によるユーザ入力装置に含まれるタッチセンスパッドを示す図である。
【図４】本発明の一実施例によるユーザ入力装置に含まれる別のタッチセンスパッドを示す図である。
【図５】本発明の他の実施例によるユーザ入力装置を示す図である。
【図６】本発明の一実施例によるディスプレイ装置を示す概略図である。
【図７】本発明の一実施例によるディスプレイ装置の制御ブロック図である。
【図８】本発明の一実施例によるディスプレイ装置のＵＩ制御方法を説明するためのフローチャートである。
【図９】本発明の一実施例によるディスプレイ装置の別のＵＩ制御方法を説明するためのフローチャートである。
【図１０】本発明の他の実施例によるディスプレイ装置を示す概略図である。
【図１１】本発明のさらに他の実施例によるディスプレイ装置を示す概略図である。
【図１２】図１０及び図１１に示すディスプレイ装置のＵＩ制御方法を説明するためのフローチャートである。
【図１３】本発明のさらに他の実施例によるディスプレイ装置を示す概略図である。
【発明を実施するための形態】
【００２７】
以下、添付の図面を参照しつつ、本発明の実施例について、本発明の属する技術の分野における通常の知識を有する者が容易に実施できるように詳細に説明する。本発明は、様々な形態に具体化することができるもので、以下に説明される実施例に限定されるものではない。本発明を明確に説明するために、説明と関連していない部分は省略し、明細書全体を通じて同一のまたは類似の構成要素には同一の参照符号を付ける。
【００２８】
図１は、本発明の一実施例によるユーザ入力装置であり、図２は、図１のＩ−Ｉに沿った断面図である。図１及び図２に示すように、ユーザ入力装置は、複数の領域Ａに区切られているタッチセンスパッド１０と、ボタン３０とを含む。タッチセンスパッド１０の下方には、タッチセンスパッド１０上でのユーザプッシュ入力のためのスイッチ２０が設けられている。ユーザ入力装置は、テレビや各種のＡＶ機器を制御できる遠隔制御装置とすることができが、これに限定されることはない。ユーザ入力装置は、その開発が活発に行われているデュアルテレビとすることもできる。すなわち、メインテレビを制御するためにディスプレイ部及びタッチパッドを含む補助テレビとすることもでき、タッチパッドを含むとすれば、遠隔制御機能を有する携帯用電話機とすることもできる。ただし、本実施例によるユーザ入力装置は、既存の数字ボタン及び機能ボタンのような多数のボタンではなく、２〜４個程度の少ない個数のボタン３０及びタッチセンスパッド１０を含む簡単な構造とすることが好ましい。
【００２９】
タッチセンスパッド１０は、ユーザの身体の一部またはポインティングデバイスのタッチを感知できるパッドを含み、タッチセンスパッド１０は、グラフィックが表示されるタッチスクリーンとすることもできる。タッチセンスパッド１０は、ユーザがユーザ入力装置を片手で持った時に容易にタッチができる位置に設けられ、少なくとも一つを含むことができる。ユーザは、タッチセンスパッド１０上で様々な操作ができ、例えば、タッチ移動（ｍｏｖｅ）、軽いタッチに該当するタップ動作（ｔａｐ）、タップよりも強くタッチするクリック、ダブルクリック、ドラッグアンドドロップ、ページを切り替えるフリッキング（ｆｌｉｃｋｉｎｇ）などを行うことができる。本実施例によるタッチセンスパッド１０は複数の領域に区切られている。領域Ａの境界Ｂは、ユーザにより視認されることができる。例えば、領域Ａの境界Ｂは、ユーザが境界Ｂを感じうるようにグラフィック的に表示することができる。また、領域Ａの境界Ｂは、ユーザによって押されることもできる。境界Ｂは、ユーザが境界Ｂを感じうるように突出したものにしたり溝（ｇｒｏｏｖｅ）にしたりすることもできる。
【００３０】
スイッチ２０は、タッチセンスパッド１０の下方に設けられ、ユーザがプッシュするボタンの役目を果たす。ユーザは、プッシュ入力を通じてタッチ操作で選択項目を選択することができる。すなわち、ユーザプッシュ入力は、タッチセンスパッド１０をクリックまたはダブルクリックする効果を有する。スイッチ２０がタッチセンスパッド１０と離隔して設けられずに、同一の平面空間に配置されることによって、ユーザはより容易にプッシュ動作を行うことができる。本実施例によるスイッチ２０は、タッチセンスパッド１０の下方に一つが存在する。ユーザの身体の一部またはポインティングデバイスをタッチセンスパッド１０のいずれの箇所でプッシュしても良い。
【００３１】
ユーザプッシュ入力が発生すると、現在タッチの発生している領域Ａの位置情報が把握される。スイッチ２０は、単にユーザによるプッシュ入力を受信するためのボタンであり、ユーザプッシュ入力が発生した瞬間にタッチの発生した領域Ａに関する情報は、外部機器を制御できる様々な方法を提供する。例えば、領域Ａ別に、チャンネルを増加させたり減少させる、または、ボリュームを上げたり下げたりする等の異なる機能を割り当てることもでき、領域Ａに割り当てられているプッシュ入力の回数によって異なる様々な制御を行うこともできる。
【００３２】
他の実施例として、スイッチを一つではなく複数個含むこともできる。スイッチは、各領域Ａの下方に設けられることもでき、特定個数の領域Ａの下方に設けられることもできる。タッチセンスパッド１０のサイズが大きい場合は、プッシュ入力をより容易に受信するためにスイッチを複数個設けると良い。
【００３３】
図３は、本発明の一実施例によるユーザ入力装置に含まれるタッチセンスパッドを示す図である。同図に示すように、タッチセンスパッド１０の上部には、領域Ａの境界Ｂが凹入形成されているキー形状パッド４０が設けられている。キー形状パッド４０は、タッチセンスパッド１０上のタッチを十分に感知できるような薄い材質からなり、タッチセンスパッド１０と接触している。キー形状パッド４０は、領域Ａ及び境界Ｂが一体とされている一体型パッドである。ユーザは、キー形状パッド４０をタッチすることによって領域Ａの境界をより容易に感じることができ、プッシュ入力を通じてあたかもキーパッドを押すような経験をすることができる。凹入形成されている境界Ｂにより、ユーザはタッチ移動距離及び移動速度を容易に制御することができる。もし、各領域Ａ別に特定文字または記号が割り当てられているとすれば、タッチベースのタッチセンスパッド１０を用いて文字または記号を入力することができる。
【００３４】
領域Ａと境界Ｂとを区別付けるために、キー形状パッド４０の境界Ｂの部分と領域Ａの部分を相互に異なる材質とすることもできる。こうすると、境界Ｂを凹入形成せずにも、ユーザは、異なる材質が与える感触を通じて領域Ａと境界Ｂとを区別することができる。また、領域Ａの上部に凸レンズのような造形物を配列することで領域Ａと境界Ｂとを区別することもできる。
【００３５】
図４は、本発明の一実施例によるユーザ入力装置に含まれる別のタッチセンスパッドを示す図である。本実施例による領域Ａの境界Ｂは、タッチセンスパッド１０上に視覚的に表示されている。また、領域Ａには数字キーIIが表示されている。境界Ｂと数字キーは、シルクプリント方式で表示することができる。または、ユーザ入力装置は、領域Ａの境界Ｂを表示できる光学パネルや光学フィルムを含むこともできる。例えば、ユーザ入力装置は、光誘導フィルム（ｌｉｇｈｔ  ｇｕｉｄｅ  ｆｉｌｍ）またはＯＬＥＤパネルを含むことで、必要な場合にのみ境界Ｂと数字キーIIを視覚的に表示することもできる。
【００３６】
タッチセンスパッド１０には、図示している数字キーIIの他に、クワーティ（ＱＷＥＲＴＹ）配列のキー、ハングルキーなどを表示することもできる。または、既存の遠隔制御装置に物理的に含まれている方向キーまたはファンクションキーなどを表示することもできる。
【００３７】
図５は、本発明の他の実施例によるユーザ入力装置を示す図である。同図に示すように、本実施例によるユーザ入力装置は、離隔している二つのタッチセンスパッド５０，６０を含み、タッチセンスパッド５０，６０にはクワーティ配列のキーIIIが表示されている。最近、ＩＰテレビの普及に伴って、ユーザはインターネット及び各種の外部サーバーから様々なコンテンツを受信することができる。ユーザは、コンテンツを制御及び実行するために、単純な選択だけに止まらず、文字または記号を入力しなければならない場合が増加している。特に、ＳＮＳ（ｓｏｃｉａｌ  ｎｅｔｗｏｒｋ  ｓｅｒｖｉｃｅ）サイトの活性化及び各種のアプリケーションの発達に伴って、テレビに文字を入力しようとする要求も漸次増加している。
【００３８】
二つのタッチセンスパッド５０，６０は、それぞれ左手及び右手で制御可能である。ユーザのプッシュが発生した領域Ａの位置情報が出力されることによってテレビなどの外部機器に文字が入力される効果を得ることができる。
【００３９】
図６は、本発明の一実施例によるディスプレイ装置の概略図であり、図７は、本実施例によるディスプレイ装置の制御ブロック図である。図示のように、ディスプレイ装置は、ディスプレイ部２３０を含む本体２００と、これを制御するためのユーザ入力部１００とを含む。ユーザ入力部１００は、上述の実施例によるユーザ入力装置に対応する構成とする。本体２００は、ユーザ入力部１００と通信するための通信部２１０、ディスプレイ部２３０、ＵＩ生成部２２０、これらを制御する制御部２４０を含み、ユーザ入力部１００は、タッチセンスパッド１０、スイッチ２０、信号転送部７０及び信号制御部８０を含む。
【００４０】
通信部２１０は、遠隔で設けられているユーザ入力部１００から信号を受信して制御部２４０に出力する。通信部２１０及び制御部２４０は、ネットワークを通じて互いに通信する。通信部２１０は、ＩＲ信号を受信できる通信モジュールとすることができる。
【００４１】
ＵＩ生成部２２０は、ユーザに提供する各種のＵＩ情報を生成してディスプレイ部２３０に表示する。
【００４２】
ディスプレイ部２３０は、液晶層を含む液晶パネル、有機物で構成された発光層を含む有機発光パネル、プラズマ表示パネルなどを含むことができ、これらパネルを駆動するパネル駆動部（図示せず）を含むことができる。ディスプレイ部２３０は、放送信号、写真のような静止映像、各種の動映像を表示することができ、ＵＩ生成部２２０から提供されるＵＩ情報を表示する。また、ディスプレイ部２３０は、放送プログラム情報に対応するＥＰＧ及びコンテンツプロバイダーから提供されたコンテンツ及びアプリケーションをアイコンの形態で表示することができる。
【００４３】
本実施例によるタッチセンスパッド１０の上部には、境界が凹入形成されたキー形状パッド４０が設けられており、キー形状パッド４０には、図示のように、数字、アルファベット及び以前チャンネルを選択できる“以前チャンネル”のキーを含むキーパッドIVが表示されている。このキーパッドIVは、携帯用電話機に含まれているキーパッドに類似する構成とすることができる。ユーザが指で“１”の上部からプッシュ入力をする場合、“１”の表示されているタッチセンスパッド１０上の位置情報が本体２００に転送される。
【００４４】
信号転送部７０は、信号制御部８０の制御によってタッチ移動情報、領域Ａに関する位置情報及びキーパッドに表示されている文字情報を通信部２１０に転送する。
【００４５】
信号制御部８０は、タッチセンスパッド１０上でタッチ移動が発生すると、タッチ移動情報が通信部２１０に出力され、プッシュ入力が発生すると、プッシュ入力の発生したキーパッドIVの位置情報が通信部２１０に出力されるように、信号転送部７０を制御する。図８は、本実施例によるディスプレイ装置のＵＩ制御方法を説明するためのフローチャートである。次に、同図を参照して、ユーザ入力部１００を用いるＵＩ制御方法について説明する。
【００４６】
まず、ユーザにより文字入力モードが設定されると（Ｓ１０）、図６に示すように、ディスプレイ部２３０には文字を入力するための文字入力バーVが表示される。信号制御部８０は、タッチセンスパッド１０上のタッチ移動に該当するタッチ移動情報を出力させる途中で、文字入力モードが設定されてポインタが文字入力バーVに位置すると、プッシュ入力の発生したキーパッドの位置情報を通信部２１０に出力する。
【００４７】
すなわち、ユーザによるプッシュ入力が発生すると（Ｓ２０）、信号制御部８０は、どの位置でプッシュが発生したか判断し、プッシュ入力の発生したキーパッド上の位置情報を本体２００に転送する（Ｓ３０）。
【００４８】
プッシュ入力の発生したキーパッド上の位置情報を受信した制御部２４０は、位置情報に対応する既設定の文字をディスプレイ部２３０に表示する（Ｓ４０）。制御部２４０は、現在タッチセンスパッド１０に表示されている領域Ａの位置に関する文字情報を有している。制御部２４０は、プッシュの発生したタッチセンスパッド１０上の位置情報のみによりユーザがいかなる文字を入力しようとするかがわかり、これをディスプレイ部２３０に表示する。
【００４９】
タッチセンスパッド１０、該タッチセンスパッド１０の下方に設けられるスイッチ２０、タッチセンスパッド１０の上部に設けられているキー形状パッド４０を含む単純な構造のユーザ入力部１００を使用することによって、ユーザは、既存のタッチベースのデバイスを用いながらもボタンを通じて文字を入力する感じを経験することができる。ユーザ入力部１００は、プッシュ入力の発生した位置情報のみを把握すればいいので、既存のタッチベースのデバイスと比較して、追加的な制御モジュールを含まなくて済む。その結果、本実施例によるディスプレイ装置は、製造コストの増加を防止しながらもユーザの要求するインターフェースを提供することができる。
【００５０】
ＵＩ生成部２２０による文字入力バーVに限定されず、ユーザは、様々なアプリケーションを実行することができる。アプリケーションが実行されると、ユーザが特定サイトのログインのためにＩＤ及びパスワードを入力することもでき、ＳＮＳサイトに書き物をアップロードするためにタッチセンスパッド１０に表示されているキーパッドを用いることもできる。
【００５１】
もし、文字入力モードが設定されていない状態では、ユーザは、通常のタッチパッドを用いる場合と同様に、タッチセンスパッド１０上で様々なタッチ動作を行うことができる。プッシュ入力を受信した制御部２４０は、位置情報に対応する数字を把握してチャンネルを変更したり、ボリュームを増減させたりすることができる。
【００５２】
キー形状パッド４０の代わりに、領域Ａの境界Ｂ及びキーパッドを視覚的に表示する光学フィルムを使用する場合、複数のタイプのキーパッドを表示することができる。こうすると、ユーザの選択によってキーパッドを選択することができ、制御部２４０は、選択されたキーパッドに対応する文字を表示させることができる。
【００５３】
図９は、ディスプレイ装置の他のＵＩ制御方法を説明するためのフローチャートである。同図に示すように、本実施例によるＵＩ制御方法は、図８と同様に、文字入力モードが設定されると（Ｓ１０）、文字入力バーVが表示される。
【００５４】
その後、ユーザによるプッシュ入力が発生すると（Ｓ２０）、信号制御部８０は、どの文字でプッシュ入力が発生したか判断し、プッシュ入力の発生したキーパッド上の文字情報を本体２００に転送する（Ｓ３１）。本実施例によるユーザ入力部１００は、キーパッドに表示されている文字情報が格納されているテーブルを含むことができる。例えば、どの位置にどんな文字が表示されているか知っているため、ユーザによるプッシュ入力が発生した場合、入力されるべき文字が、例えば“１”なのか“２”なのかがわかる。信号制御部８０は、プッシュ入力の発生した位置情報ではなく、直接的な文字情報を制御部２４０に転送することができる。
【００５５】
文字情報を受信した制御部２４０は、入力された文字情報に基づいて該当の文字をディスプレイ部２３０に表示する（Ｓ４１）。
【００５６】
図１０は、本発明の他の実施例によるディスプレイ装置の概略図である。ディスプレイ装置は、本体２０１と、領域Ａの境界Ｂのみが区別されており、キーパッドは表示されないユーザ入力部１０１を含む。
【００５７】
この場合、ユーザ入力部１０１の領域Ａに対応するキーパッドIVがディスプレイ部２３０に表示される。本実施例では、ユーザがディスプレイ部２３０のキーパッドIVを見ながら文字を容易に入力できるように、ユーザ入力部１０１が、領域Ａの境界Ｂを触感で感知できるキー形状パッドを含むことが好ましい。
【００５８】
このように、ディスプレイ部２３０に表示されているキーパッドIV上の文字を入力する場合、ユーザがタッチセンスパッド１０上で行うタッチに対応してポイントはキーパッドIV上でのみ移動するように制御される。すなわち、タッチセンスパッド１０上のタッチ移動範囲は、キーパッドIVの表示範囲に直接マッチングされる。ポインタがキーパッドIVの表示範囲を外れるには文字入力モードを解除しなければならない。
【００５９】
タッチセンスパッド１０上の指が移動する場合、その移動にしたがってキーパッドIVのポインタが移動し、プッシュ入力が発生すると、プッシュの発生した領域に表示されている文字が入力される。
【００６０】
図１１は、さらに他の実施例によるディスプレイ装置の概略図である。同図に示すように、本体２０２のディスプレイ部２３０に表示されているクワーティキーパッドIII’が、ユーザ入力部１０２にも表示されている。本実施例によれば、ユーザはディスプレイ部２３０のクワーティキーパッドIII’を見ながら文字を入力することもでき、ユーザ入力部１０２のみを用いて文字を入力することもできる。この場合にも、ユーザ入力部１０２は、領域Ａの境界Ｂを触感で感知できるキー形状パッドを含むことが好ましい。
【００６１】
また、本実施例においても同様、ユーザがタッチセンスパッド１０上で行ういかなるタッチも、ディスプレイ部２３０に表示されているクワーティキーパッドIII’上に限定されるように制御される。タッチセンスパッド１０上の指が移動する場合、その移動にしたがってクワーティキーパッドIII’のポインタが移動し、プッシュ入力が発生するとプッシュの発生した領域に表示されている文字が入力される。
【００６２】
図１２は、図１０及び図１１に示すディスプレイ装置のＵＩ制御方法を説明するためのフローチャートである。図１２を参照して、ディスプレイ部２３０にキーパッドが表示される場合におけるＵＩ制御方法について説明する。
【００６３】
まず、文字入力モードが設定されると（Ｓ１００）、制御部２４０は、ディスプレイ部２３０に数字キーパッドIVまたはクワーティキーパッドIII’のような特定キーパッドを表示する（Ｓ１１０）。
【００６４】
その後、制御部２４０は、タッチセンスパッド１０上のタッチ移動範囲を、ディスプレイ部２３０に表示されたキーパッドIII’，IVの表示範囲に直接マッチングさせる（Ｓ１２０）。直接マッチングが設定される場合、ポインタはキーパッドIII’，IV上で移動することができ、タッチセンスパッド１０の位置はキーパッドIII’，IVの位置に一対一でマッチングされる。
【００６５】
ユーザによるプッシュ入力が発生すると（Ｓ１３０）、信号制御部８０は、どの文字でプッシュ入力が発生したかを判断し、プッシュ入力の発生したキーパッド上の位置情報を本体２０１、２０２に転送する（Ｓ１４０）。
【００６６】
当該文字に関する位置情報を受信した制御部２４０は、入力された位置情報に対応するキーパッドの文字をディスプレイ部２３０に表示する（Ｓ１５０）。
【００６７】
または、信号制御部８０は、プッシュ入力が発生したというプッシュ入力情報のみを転送することもできる。プッシュが発生するには、特定位置へのタッチが発生する必要があり、タッチが発生するとディスプレイ部２３０上のキーパッドIII’，IVにポインタが位置するようになる。したがって、制御部２４０は、ポインタの位置しているキーパッドIII’，IVの文字情報を知っているので、どの文字が選択されたかを知るだけで文字を表示することができる。
【００６８】
図１３は、本発明のさらに他の実施例によるディスプレイ装置の概略図である。本実施例によるディスプレイ装置１０００は、物理的に独立している装置でないディスプレイ部２３０を含む一つの装置内に設けられているユーザ入力部１０３を含む。同図に示すように、ディスプレイ装置１０００は、ノートブック、電子ブック、ネットブックのようなモバイル端末機を含むことができる。また、他の実施例によれば、ディスプレイ装置は、デジタルカメラ、ＭＰ３プレイヤー、タブレットＰＣ、ＨＨＰ（Ｈａｎｄ  Ｈｅｌｄ  Ｐｒｏｄｕｃｔｓ）とすることもできる。本発明によるユーザ入力部１０３は、図１に示すようなリモートコントローラに限定されず、タッチパッドを含むいかなるユーザ入力装置としても良い。ユーザ入力部１０３及びＵＩ生成部を制御する制御部の通信によるＵＩ制御方法は、上記の実施例と実質的に同一にすればいい。
【００６９】
以上では本発明の具体的な実施例を図示及び説明してきたが、本発明の属する技術の分野における通常の知識を有する当業者にとっては、本発明の原則や精神を逸脱しない範囲内で様々な変形実施が可能であるということは明らかである。したがって、本発明の範囲は添付の請求項とその均等物により定められるべきである。
【符号の説明】
【００７０】
１０，５０，６０    タッチセンスパッド
２０    スイッチ
３０    ボタン
４０    キー形状パッド
１００    ユーザ入力部
２００    本体
２１０    通信部
２２０    ＵＩ生成部
２３０    ディスプレイ部
２４０    制御部
【図１】
2012009006.tif 000003
【図２】
2012009006.tif 000004
【図３】
2012009006.tif 000005
【図４】
2012009006.tif 000006
【図５】
2012009006.tif 000007
【図６】
2012009006.tif 000008
【図７】
2012009006.tif 000009
【図８】
2012009006.tif 000010
【図９】
2012009006.tif 000011
【図１０】
2012009006.tif 000012
【図１１】
2012009006.tif 000013
【図１２】
2012009006.tif 000014
【図１３】
2012009006.tif 000015